(57)【要約】【課題】  排水設備の整っていない建築工事現場に仮設置し、混入物が含まれる排水の処理を手間をかけることなく行うことができる仮設阻集ユニットを提供する【解決の手段】【請求項１】  阻集容器と、該阻集容器上面の開口部上に載置されるパンとを備え、該パンは、排水が阻集容器へ流れ込むための排出口を有し、該阻集容器は、該パンから流れ込んだ排水に含まれる混入物を阻集した後に、外部に排水を排出することを特徴とする仮設阻集ユニットを提供する。【選択図】図１
2010281087.tif 000002
【特許請求の範囲】
【請求項１】
阻集容器と、該阻集容器上面の開口部上に載置されるパンとを備え、
該パンは、排水が阻集容器へ流れ込むための排出口を有し、
該阻集容器は、該パンから流れ込んだ排水に含まれる混入物を阻集した後に、外部に排水を排出することを特徴とする仮設阻集ユニット。
【請求項２】
前記阻集容器の内部を、前記パンの排出口の下方に位置し混入物を沈殿させる沈殿槽と、外部排出口を有し該沈殿槽からの上澄み水が放流される放流槽と、に区画する第一仕切り板を備えていることを特徴とする請求項１に記載の仮設阻集ユニット。
【請求項３】
下端部に開口を有し、前記沈殿槽の内部を上流部と下流部とに区画する第二仕切り板を備え、該上流部は前記パンの排出口の下方に位置し、該上流部には固形混入物を受け止める網状体が収容されていることを特徴とする請求項２に記載の仮設阻集ユニット。
【請求項４】
前記阻集容器は側壁を有し、前記第一仕切り板及び第二仕切り板は、該側壁の内面に縦方向に形成された溝に嵌め込まれて固定され、取り外し自在に構成されていることを特徴とする請求項３に記載の仮設阻集ユニット。
【請求項５】
前記沈殿槽の下流部内に設置され、側面部及び前記排水の沈殿物が沈殿する底面部を有する第一沈殿物回収容器を備えていることを特徴とする請求項３又は４に記載の仮設阻集ユニット。
【請求項６】
前記放流槽内に設置され、側面部及び前記排水の沈殿物が沈殿する底面部を有する第二沈殿物回収容器を備えていることを特徴とする請求項５に記載の仮設阻集ユニット。
【発明の詳細な説明】
【技術分野】
【０００１】
本発明は、排水設備の整っていない建築工事現場に仮設置し、洗浄作業後の排水に含まれる混入物を阻集した後に排出する仮設阻集ユニットに関するものである。
【背景技術】
【０００２】
住宅等の建築工事現場においては、モルタル、塗料、土砂等が付着した工具、冶具、資材等を洗浄することがある。しかし、側溝や排水管のつまり、あるいは河川等の汚染を防止するために、モルタル、塗料、土砂等の混入物を含んだ排水を側溝や下水道にそのまま排出（放流）することは慎まなければならない。
【０００３】
そのため、排水設備の整っていない建築工事現場では、バケツ等の容器に汲み置いた水で洗浄し、その後、排水に含まれる混入物が沈殿するのを待って、上澄み水を静かに放流するとともに、容器に沈殿した混入物を別途処分するという作業が必要であり、手間と時間を要していた。
【０００４】
一方、従来より、排水に含まれる混入物を除去する装置として阻集器が存在していた。例えば、工場や厨房等からの排水に含まれる油分などを除去するグリーストラップ等は、この阻集器の一形態である。また、浄化槽や排水枡などにも同様の機能がある。
【０００５】
しかしながら、これらの装置は、工場排水や生活排水を処理する目的で、建物の床面や地盤面に埋め込まれた状態で恒久的に使用されるように設計されたものである。
【０００６】
例えば、特許文献１には、既存の共同住宅・マンション等の排水系統の工事の際に使用する排水設備仮設装置に関する技術が開示されているが、これは既存の排水管に直結して使用するものであり、排水設備の整っていない建築工事現場で発生する排水を処理する目的で、仮設的に設置されるように設計されたものではない。
【先行技術文献】
【特許文献】
【０００７】
【特許文献１】特許第２９０５７６８号公報
【発明の概要】
【発明が解決しようとする課題】
【０００８】
本発明は、上記従来技術の有する課題を解決するものであり、排水設備の整っていない建築工事現場に仮設置し、混入物が含まれる排水の処理を手間をかけることなく行うことができる仮設阻集ユニットを提供することを目的とする。
【課題を解決するための手段】
【０００９】
本発明に係る仮設阻集ユニットは、阻集容器と、該阻集容器上面の開口部上に載置されるパンとを備える。該パンは、排水が阻集容器へ流れ込むための排出口を有し、該阻集容器は、該パンから流れ込んだ排水に含まれる混入物を阻集した後に、外部に排水を排出することを特徴とする。
【００１０】
上記構成からなる仮設阻集ユニットによれば、パンに水を貯留して洗浄する機能と、洗浄後の排水に含まれる混入物を除去する機能とを兼ね備えてユニット化されているので、建築工事現場での工具、冶具、資材等の洗浄作業を簡便に行うことができる。
【００１１】
本発明の一態様によれば、前記仮設阻集ユニットは、前記阻集容器の内部を、前記パンの排出口の下方に位置し混入物を沈殿させる沈殿槽と、外部排出口を有し該沈殿槽からの上澄み水が放流される放流槽と、に区画する第一仕切り板を備えている。本発明に係る仮設阻集ユニットは、阻集容器内部が第一仕切り板によって沈殿槽と放流槽に区画されているので、落下した排水の勢いによって内部が乱され沈殿した混入物が排水とともに放流されてしまう事態を防止することができる。
【００１２】
また、本発明の一態様によれば、前記仮設阻集ユニットは、下端部に開口を有し、前記沈殿槽の内部を上流部と下流部とに区画する第二仕切り板を備え、該上流部は前記パンの排出口の下方に位置し、該上流部には固形混入物を受け止める網状体が収容されている。本発明に係る仮設阻集ユニットは、第二仕切り板によって沈殿槽が上流部と下流部に区画され、上流部には固形混入物を受け止める網状体が収容されているので、前記効果が更に高まるとともに、網状体によって比較的大きな固形の混入物が受け止められ、混入物の分別処分を容易に行うことができる。
【００１３】
また、本発明の一態様によれば、前記仮設阻集ユニットは、前記阻集容器は側壁を有し、前記第一仕切り板及び第二仕切り板は、該側壁の内面に縦方向に形成された溝に嵌め込まれて固定され、取り外し自在に構成されている。本発明に係る仮設阻集ユニットは、第一仕切り板及び第二仕切り板が取り外し自在なので、沈殿槽に沈殿した混入物の除去作業や内部の清掃作業を簡便に行うことができる。
【００１４】
また、本発明の一態様によれば、前記仮設阻集ユニットは、前記沈殿槽の下流部内に設置され、側面部及び前記排水の沈殿物が沈殿する底面部を有する第一沈殿物回収容器を備えている。また、前記放流槽内に設置され、側面部及び前記排水の沈殿物が沈殿する底面部を有する第二沈殿物回収容器を備えている。本発明に係る仮設阻集ユニットは、これら沈殿物回収容器を備えているため、排水の処理後、沈殿槽の下流部及び放流槽に沈殿する、前記網状体で回収されなかった混入物の細かい沈殿物を容易に回収することができる。
【発明の効果】
【００１５】
本発明によれば、排水設備の整っていない建築工事現場であっても、混入物が含まれる排水の処理を手間をかけることなく行うことができる仮設阻集ユニットが提供される。
【図面の簡単な説明】
【００１６】
【図１】本実施形態に係る仮設阻集ユニットの斜視図である。
【図２】本施形態に係る仮設阻集ユニットの断面図である。
【図３】阻集容器に設けられた溝の構成を示す図である。
【図４】沈殿物回収容器を備える仮設阻集ユニットの構成を示す斜視図である。
【図５】沈殿物回収容器の概略図である。
【発明を実施するための形態】
【００１７】
以下に、一実施形態を例に挙げて本発明を詳細に説明するが、この実施形態は本発明の理解を助けるために記載するものであって、本発明を記載された実施形態に限定する趣旨で無いことは自明である。
【００１８】
先ず、図１を用いて、本実施形態に係る仮設阻集ユニットＡの概要について説明する。本実施形態に係る仮設阻集ユニットＡは、図１に示すように、主にパンＡ１、パンＡ１が載置される阻集容器Ａ２、から構成される。そして、阻集容器Ａ２は、第一仕切り板１１、第二仕切り板１２、網かご（網状体）１４を備えている。以下、各構成について説明する。
【００１９】
［パン］
パンＡ１は、図一に示すように、底板１と底板の周縁から起立した側壁２と側壁２の上端から外方向に水平に延出した鍔３とを有している。底板の四隅にはパンＡ１のずれを防止する為の突出片が阻集容器Ａ２の略矩形の開口部９に対応して設けられており、阻集容器Ａ２の開口部９に該突出片が嵌め込まれた状態で載置される。
【００２０】
底板１には洗浄作業によって混入物が混ざった水を阻集容器Ａ２に導く排出口４が設けられている。また、パンＡ１は排水口４を塞ぐゴム栓５を備えており、ゴム栓５で排水口４を塞ぐことによってパンＡ１内に水を貯留して洗浄作業をすることができる。
【００２１】
また、鍔３には長孔６が穿設されており、例えば、仮設水栓をパンＡ１の上方に立設する際に仮設水栓を保持する支柱や給水管等を金具や固定具を用いて固定する場合に使用したり、洗浄作業に使用するブラシ等を掛止する際に使用することができる。
【００２２】
［阻集容器］
阻集容器Ａ２は、パンＡ１からの排水を該排水に含まれる混入物を阻集したのちに外部に排出する機能を有するものであり、その外装部分は、底板７と底板７の周縁から起立した側壁８を有している。
【００２３】
側壁８の上部には開口部９が形成され、阻集容器Ａ２の上部は全面的に開放されており、パンＡ１の下部を載置して嵌め込むことによって開口部９は閉塞される。
【００２４】
パンＡ１、阻集容器Ａ２は、ともに合成樹脂の成形品であることが好ましく、水が貯留されていない状態では、一人で持ち運びができる程度の大きさと重量を有している。
【００２５】
［第一仕切り板］
阻集容器Ａ２には、その内部を、パンＡ１の排出口４の下方に位置し混入物を沈殿させる沈殿槽ａと側壁８に備えられた外部排出口１０を有し沈殿槽からの上澄み水が放流される放流槽ｂとに区画する第一仕切り板１１を備えている。
【００２６】
第一仕切り板１１は、パンＡ１を装着した状態でパンＡ１の底板１との間に排水を放流槽ｂへ導く為の隙間が形成されるように設定されている。このため、排水の上澄み液のみが放流槽ｂへと流れ込むようになる。
【００２７】
［第二仕切り板］
更に、沈殿槽ａ側には、その内部を上流部ａ１と下流部ａ２とに区画する第二仕切り板１２を備えている。第二仕切り板１２は、阻集容器Ａ２の底板７との間に隙間が形成されるように設定されているため、排水に含まれる混入物は網状体に効率的に捕集される。
【００２８】
第一仕切り板１１及び第二仕切り板１２は、図３に示すように、対向する側壁８の内面側に第一仕切り板１１、第二仕切り板１２の厚さに対応した幅で設けられた溝１３に嵌め込まれている。これにより、パンＡ１を取り外した状態で、第一仕切り板１１又は第二仕切り板１２を上方にスライドさせることによって取り外すことができる。図３は、阻集容器Ａ２の溝１３周辺を開口部９の方向から見た図である。
【００２９】
なお、溝１３は、突起を設けて形成してもよいし（図３（ｂ））、沈殿槽ａに沈殿した混入物が放流槽ｂに流出しなければ、連続した溝が形成されていなくてもよい。
【００３０】
［網状体］
上流部ａ１はパンの排出口４の下方に位置し、その内部には網かご（網状体）１４が収容されており、網の目よりも大きな固形の混入物を阻集することができる。
【００３１】
なお、網状体は網袋などでもよく、この場合網袋の口の部分を開放状態に保つ為に、第二仕切り板１２や側壁８にフック、クリップ等の係止手段を設けるのが好ましい。
【００３２】
放流槽ｂの側壁８の下端寄りの位置に設けられた外部排出口１０には蛇腹状のホース１５が装着されている。
【００３３】
［沈殿物回収容器］
また、上記仮設阻集ユニットは、図４に示すように、沈殿物回収容器（第一沈殿物回収容器１６、第二沈殿物回収容器１７）を備えていてもよい。
【００３４】
沈殿物回収容器は、図５に示すように、排水中の混入物が沈殿する底面部１８、側面部１９を有している。混入物は回収容器の底面部１８に沈殿するため、排水の処理後に、この沈殿物回収容器を取り出すことにより、沈殿した混入物を回収することができる。
【００３５】
沈殿物回収容器には、突出部２０が設けられており、図３（ｃ）に示すように、該突出部２０を溝１３にはめ込むことにより沈殿物回収容器を固定することができる。また、沈殿物回収容器の側面部１９には、沈殿物回収時に容易に掴めるよう、持ち手部２１が設けられている。
【００３６】
なお、第一沈殿物回収容器１６は、側面部１９が仕切り板１１と同様の機能を有するため、仕切り板１１を用いずともよい。しかし、図４に示すように、第一沈殿物回収容器及び仕切り板１１の両方を備えていてもよい。
【００３７】
さらに、上記仮設阻集ユニットは、第二沈殿物回収容器１７を備えていてもよい。第二沈殿物回収容器１７は、機能や形状、材質等は上記第一沈殿物回収容器１６と同様のものであってもよいが、排水が排出されるために、外部排出口１０の位置に合わさるように穴が設けられている。
【００３８】
なお、第一沈殿物回収容器、第二沈殿物回収容器を備えている場合も、仮設阻集ユニットのその他の各構成は上記構成と同様である。
【００３９】
上記構成の仮設阻集ユニットＡを排水設備の整っていない建築工事現場の最終桝や側溝に近接した位置に設置し、ホース１５を最終桝や側溝に接続することによって工具、冶具、資材等の洗浄作業に使用することができる。特に、パンＡ１に水を貯留して洗浄する機能と、洗浄後の排水に含まれる混入物を除去する機能とを兼ね備えてユニット化されているので、洗浄作業を簡便に行うことができる。
【００４０】
また、阻集器本内内部が第一仕切り板１１および第二仕切り板１２によって仕切られているので、落下した排水の勢いによって内部が乱され沈殿した混入物が排水とともに放流されてしまう事態を防止することができる。
【００４１】
また、網状体によって比較的大きな混入物が阻集できるので、混入物の分別処分を容易に行うことができる。
【００４２】
また、第一仕切り板１１及び第二仕切り板１２が取り外し自在なので、沈殿槽に沈殿した混入物の除去作業や内部の清掃作業を簡便に行うことができる。
【００４３】
以上説明したように、本発明に係る仮設阻集ユニットは、パンに水を貯留して洗浄する機能と、洗浄後の排水に含まれる混入物を除去する機能とを兼ね備えてユニット化されているので、建築工事現場での工具、冶具、資材等の洗浄作業を簡便に行うことができる。なお、上記仮設阻集ユニットは、新築工事に限らず、増改築工事の際にも使用することができる。
【符号の説明】
【００４４】
Ａ    仮設阻集ユニット
Ａ１  パン
Ａ２  阻集容器
１    パンの底板
２    パンの側壁
３    鍔
４    排出口
５    ゴム栓
６    長孔
７    底板
８    側壁
９    開口部
１０  外部排出口
１１  第一仕切り板
１２  第二仕切り板
１３  溝
１４  網状体
１５  ホース
１６  第一沈殿物回収容器
１７  第二沈殿物回収容器
１８  底面部
１９  側面部
２０  突出部
２１  持ち手部
ａ    沈殿槽
ａ１  上流部
ａ２  下流部
ｂ    放流槽
【図１】
2010281087.tif 000003
【図２】
2010281087.tif 000004
【図３】
2010281087.tif 000005
【図４】
2010281087.tif 000006
【図５】
2010281087.tif 000007